(57)【要約】【課題】ハウジングに付設された蓋体の開閉に用いる抓み部を蓋体の面方向と直交する方向へと突出させないで配設した蓋体付きハウジング構造の提供。【解決手段】抓み部２６を介しての開蓋を自在に形成された蓋体２２を備えて機器本体１１内にて所定の機能を発揮させるべく搭載されるハウジング２１において、抓み部２６は、蓋体２２の開放端２４側からその面方向に沿わせ、かつ、機器本体１１側との間に確保される空隙部１４内に納置できる位置関係のもとで配設した。これにより、機器本体１１を持ち運ぶ際に抓み部２６が他部材に引っ掛かって損傷することを確実に防止することができる。【選択図】図１
2006053051.tif 000002
【特許請求の範囲】
【請求項１】
抓み部を介しての開蓋を自在に形成された蓋体を備えて機器本体内にて所定の機能を発揮させるべく搭載されるハウジングにおいて、
前記抓み部は、前記蓋体の開放端側からその面方向に沿わせ、かつ、前記機器本体側との間に確保される空隙部内に納置できる位置関係のもとで配設したことを特徴とする蓋体付きのハウジング構造。
【請求項２】
前記蓋体には、前記ハウジングに内蔵させたプリンタにてプリントアウトされた後の紙を排出する排出口を具備させた請求項１に記載の蓋体付きのハウジング構造。
【発明の詳細な説明】
【技術分野】
【０００１】
本発明は、ハウジングに付設された蓋体を開閉する際に用いられる抓み部を蓋体の面方向と略直交する方向に突出させることなく配設した蓋体付きのハウジング構造に関する技術である。
【背景技術】
【０００２】
図４は、従来からあるプリンタ付きの波形記録計の一例を示す全体斜視図であり、図５は、図４におけるプリントアウトされた後の紙の排出口を備える蓋体部分を拡大して示す要部斜視図である。
【０００３】
これらの図によれば、波形記録計１は、機器本体２内に図示しないプリンタを備えており、該プリンタにてプリントアウトされた後の紙７は、機器本体２の一側面に開閉自在に配設されている蓋体３に形成された排出口５から外部へと排出することができるようして形成されている。
【０００４】
この場合、蓋体３は、その開放端４側にてその面方向とは略直交する方向へと突出させた抓み部６を備えており、該抓み部６を手指で抓んで引っ張ることにより、機器本体２の側に嵌着させるなどして維持されている施蓋状態を強制的に解除して開蓋できるようになっている。
【０００５】
また、本願出願人が先に出願した下記特許文献１には、抓み部を蓋体に対し突片状に付設した例が開示されており、蓋体から斜め方向に突設されている抓み部に指を掛けて容易に開蓋できるようになっている。
【特許文献１】実公平５−４０４２０号公報
【発明の開示】
【発明が解決しようとする課題】
【０００６】
しかし、図４に示すように抓み部６を蓋体３の面方向と略直交する方向へと突出させてある場合には、波形記録計１（機器本体２）を持ち運びする際に抓み部６を他部材側に引っ掛けるなどして損傷させてしまう不都合があり、このような不都合は、特許文献１の開示技術においても同様に発生するものであった。
【０００７】
本発明は、従来例にみられた上記課題に鑑み、ハウジングに付設された蓋体の開閉に用いる抓み部を蓋体の面方向に沿わせて配設した蓋体付きハウジング構造を提供することに目的がある。
【課題を解決するための手段】
【０００８】
本発明は、上記目的を達成すべくなされたものであり、抓み部を介しての開蓋を自在に形成された蓋体を備えて機器本体内にて所定の機能を発揮させるべく搭載されるハウジングにおいて、前記抓み部は、前記蓋体の開放端側からその面方向に沿わせ、かつ、前記機器本体側との間に確保される空隙部内に納置できる位置関係のもとで配設したことを最も主要な特徴とする。
【０００９】
この場合、前記蓋体には、前記ハウジングに内蔵させたプリンタにてプリントアウトされた後の紙を排出する排出口を具備させておくこともできる。
【発明の効果】
【００１０】
本発明のうち、請求項１に係る発明によれば、前記抓み部は、前記蓋体の開放端側からその面方向に沿わせ、かつ、前記機器本体側との間に確保される空隙部内に納置できる位置関係のもとで配設されているので、抓み部が外方へと突出することをなくした状態で機器本体を持ち運ぶことができ、したがって、抓み部が他部材に引っ掛かって損傷することを確実に防止することができる。
【００１１】
また、請求項２に係る発明によれば、前記蓋体には、前記ハウジングに内蔵させたプリンタにてプリントアウトされた後の紙を排出する排出口を具備させてあるので、プリンタ付きの波形記録計などの各種測定器に好適に適用することができる。
【発明を実施するための最良の形態】
【００１２】
図１は、本発明の一例につきその一部を省略した全体斜視図を、図２は、開蓋状態にあるハウジングの斜視図を、図３は、施蓋状態にあるハウジングの側面図をそれぞれ示す。
【００１３】
これらの図によれば、適宜の測定器などを構成する機器本体１１には、抓み部２６を介しての開蓋を自在に形成された蓋体２２を備え、所定の機能の一つであるプリンタ機能を発揮させるべく形成されたハウジング２１が搭載されている。
【００１４】
また、ハウジング２１には、図２に示すようにプリンタ２７が内蔵されており、自動供給される図示しない紙に対し機器本体１１側からもたらされる必要情報を順次プリントアウトすることができる構造を備えて形成されている。
【００１５】
また、プリントアウトされた後の紙は、ハウジング２１に支軸２３を介して開閉自在に付設された蓋体２２に予め形成されている排出口２５から外部へと順次自動的に排出することができるようにようになっている。
【００１６】
しかも、抓み部２６は、蓋体２２の開放端２４からその面方向に向け、かつ、図１に示されているように機器本体１１側との間に確保される空隙部１４内に納置できる位置関係のもとで配設されている。
【００１７】
すなわち、略直方体形状を呈する機器本体１１は、前板部１２側に操作スイッチ等の種々の操作部や表示部を配設することでその全体が形成されている。
【００１８】
一方、ハウジング２１が備える蓋体２２には、図３からも明らかなように開放端２４側の略中央位置からその面方向に沿わせて延設された略円形を呈する抓み部２６が一体形成されている。また、蓋体２２は、その下面側に図示しない差込み部を備えており、施蓋時にハウジング２１の対応部位に設けられている図２に示す嵌合部２８に差込み部を嵌着することで、その施蓋状態をロックできるようになっている。
【００１９】
しかも、ハウジング２１は、機器本体１１がその上面側に確保している開口部１３内に、抓み部２６が前板部１２側と対向する位置関係のもとで収容されており、このような配置関係のもとで機器本体１１側にその出入が自在となって搭載されている。
【００２０】
また、ハウジング２１は、機器本体１１の前板部１２との間に空隙部１４を確保した状態のもとで搭載され、しかも、該空隙部１４内に蓋体２２に付設されている抓み部２６を納置することができる結果、機器本体１１を持ち運びする際に抓み部２６が他部材側に引っ掛かるなどして損傷を受けるおそれをなくすことができる。
【００２１】
次に、本発明の作用・効果を図示例に基づいて説明すれば、通常は、図１に示すように機器本体１１の開口部１３を介してハウジング２１を搭載させ、機器本体１１側からもたらされる必要情報を図２に示すプリンタ２７を介して紙にプリントアウトした後、蓋体２２が備える排出口２５から自動的に排出しながら使用されることになる。
【００２２】
また、ハウジング１１は、ストックしている紙がなくなったり、その他の内部的なトラブルが発生した際には蓋体２２を開蓋して内部を点検することができるようになっている。
【００２３】
この際における蓋体２２の開蓋操作は、蓋体２２の開放端２４に一体となって付設されている抓み部２６の下側に指を引っかけて引き上げることにより、ハウジング２１の本体側に配設してある嵌合部２８との間に生成されているロック状態を解除しながら容易に開蓋することができる。また、施蓋操作も開蓋操作とは逆の手順を踏むことで容易に行うことができる。
【００２４】
しかも、機器本体１１にハウジング２１を搭載した状態のもとで持ち運ぶ際には、蓋体２２に付設されている抓み部２６がその施蓋時に空隙部１４内に蓋体２２の面方向と同一平面のもとで納置される結果、他部材に引っ掛けて抓み部２６が損傷を受けてしまうというような不具合をなくすことができる。また、抓み部２６自体は、蓋体２２と一体に形成されているので、別部材を取り付ける場合に比してそれだけコスト削減に寄与させることもできる。
【００２５】
以上は、本発明を図示例に基づいて説明したものであり、その具体的な内容はこれに限定されるものではない。例えば、ハウジングは、電池ボックスなどのようにプリンタ機能以外の所定の機能を発揮させることができるものであればよい。したがって、蓋体は、紙の排出口を有さないものであってもよく、蓋体が備える抓み部もその形状、位置および個数を所望に応じ適宜選択することができる。
【産業上の利用可能性】
【００２６】
本発明は、機器本体内にハウジングが搭載され、該ハウジングが抓み部を介しての開蓋を自在に形成された蓋体を備えるものでさえあれば、機器本体が波形記録計などの記録計以外の測定器等であっても容易に適用することができる。特に、本発明は、ハウジングがプリンタを内蔵するものであり、蓋体に設けた排出口を介してプリントアウト後の紙を排出できる構造を備えて搭載される適宜の機器本体に対し好適に適用することができる。
【図面の簡単な説明】
【００２７】
【図１】本発明の一例につきその一部を省略して示す全体斜視図。
【図２】機器本体内に搭載されるプリンタを内蔵させたハウジングの一例を開蓋状態のもとで示す全体斜視図。
【図３】図２に示すハウジングを施蓋状態のもとで示す側面図。
【図４】プリンタ付きの波形記録計の従来例を示す全体斜視図。
【図５】図４における記録紙の排出口を備える蓋体部分を拡大して示す要部斜視図。
【符号の説明】
【００２８】
１１  機器本体
１２  前板部
１３  開口部
１４  空隙部
２１  ハウジング
２２  蓋体
２３  支軸
２４  開放端
２５  排出口
２６  抓み部
２７  プリンタ
２８  嵌合部
【図１】
2006053051.tif 000003
【図２】
2006053051.tif 000004
【図３】
2006053051.tif 000005
【図４】
2006053051.tif 000006
【図５】
2006053051.tif 000007